(57)【要約】【課題】板バネに平面方向の応力が加わった際にスプリング部に変形が生じる不具合を防止することが可能な、板バネを提供する。【解決手段】板バネ５、１１は、外枠部５ａ、１１ａと、外枠部５ａ、１１ａの内側に配置された内枠部５ｂ、１１ｂと、内枠部５ｂ、１１ｂと外枠部５ａ、１１ａとの間に設けられ、内枠部５ｂ、１１ｂと外枠部５ａ、１１ａとを板バネ５の法線方向へ伸縮させるスプリング部５ｃ、１１ｃとを備えている。外枠部５ａ、１１ａ、内枠部５ｂ、１１ｂ及びスプリング部５ｃ、１１ｃのうち少なくとも１つに、平面方向外方へ突出し、スプリング部５ｃ、１１ｃの平面方向への変形を抑制する少なくとも１つの規制突起１５が設けられている。【選択図】図５
2014062964.tif 000002
【特許請求の範囲】
【請求項１】
カメラモジュールの駆動機構に用いられる板バネにおいて、
外枠部と、
外枠部の内側に配置された内枠部と、
内枠部と外枠部との間に設けられ、外枠部と内枠部とを板バネの法線方向へ伸縮させるスプリング部とを備え、
外枠部、内枠部及びスプリング部のうち少なくとも１つに、平面方向外方へ突出し、スプリング部の平面方向への変形を抑制する少なくとも１つの規制突起が設けられていることを特徴とする板バネ。
【請求項２】
規制突起は、板バネの変形時に、外枠部、内枠部、スプリング部及び他の突起のうちのいずれかに当接することを特徴とする請求項１記載の板バネ。
【請求項３】
スプリング部の幅をｗとしたとき、スプリング部と外枠部又は内枠部との連結部と、板バネの変形時に規制突起が当接する部分との距離は、１．０ｗ〜３０ｗとなることを特徴とする請求項２記載の板バネ。
【請求項４】
規制突起は、基端部と先端部とを有し、規制突起の長さは、規制突起の基端部と板バネの変形時に規制突起が当接する部分との間の距離の２０％〜８０％であることを特徴とする請求項２又は３記載の板バネ。
【請求項５】
筐体と、
光学系を構成するレンズユニットと、
筐体内に配置され、レンズユニットを収納してレンズユニットの光軸方向に移動可能なホルダと、
ホルダに設けられたコイルと、
筐体に設けられコイルに磁界を提供するヨーク及びマグネット片と、
筐体とホルダとの間に介在された、板バネとを備え、
板バネは、
外枠部と、
外枠部の内側に配置された内枠部と、
内枠部と外枠部との間に設けられ、外枠部と内枠部とを板バネの法線方向へ伸縮させるスプリング部とを有し、
板バネの外枠部、内枠部及びスプリング部のうち少なくとも１つに、平面方向外方へ突出し、スプリング部の平面方向への変形を抑制する少なくとも１つの規制突起が設けられていることを特徴とするカメラモジュールの駆動機構。
【請求項６】
規制突起は、板バネの変形時に、外枠部、内枠部、スプリング部及び他の突起のうちのいずれかに当接することを特徴とする請求項５記載のカメラモジュールの駆動機構。
【請求項７】
スプリング部の幅をｗとしたとき、スプリング部と外枠部又は内枠部との連結部と、板バネの変形時に規制突起が当接する部分との距離は、１．０ｗ〜３０ｗとなることを特徴とする請求項６記載のカメラモジュールの駆動機構。
【請求項８】
規制突起は、基端部と先端部とを有し、規制突起の長さは、規制突起の基端部と板バネの変形時に規制突起が当接する部分との間の距離の２０％〜８０％であることを特徴とする請求項６又は７記載のカメラモジュールの駆動機構。
【請求項９】
請求項５乃至８のいずれか一項記載のカメラモジュールの駆動機構を備えたことを特徴とする電子機器端末。
【発明の詳細な説明】
【技術分野】
【０００１】
本発明は、カメラモジュールの駆動機構に用いられる板バネ、カメラモジュールの駆動機構および電子機器端末に関する。
【背景技術】
【０００２】
携帯電話、スマートフォン、タブレット端末、ノートＰＣなど、カメラ付き小型電子機器などにおいて、オートフォーカスやズーム等を目的として、コイルに流れる電流と、ヨーク及びマグネットにより構成された磁気回路の磁界との相互作用によって、光軸方向にレンズユニットを変位させることができるカメラモジュールの駆動機構（ボイスコイルモーター（ＶＣＭ））が用いられている。
【０００３】
このようなカメラモジュールの駆動機構には、レンズユニットを保持しているホルダをレンズユニットの光軸方向に変位可能に支持するための板バネが使用されている。
【先行技術文献】
【特許文献】
【０００４】
【特許文献１】特開２００９−２１００５５号公報
【発明の概要】
【発明が解決しようとする課題】
【０００５】
ところで近年、小型電子機器の薄型化が進んでいることにより、カメラモジュールも薄型化することが要求されている。このため、カメラモジュールに組み込まれる板バネもできる限り薄くすることが求められている。一方、板バネに対して必要とされるバネ強度は、カメラレンズの重さにより異なっている。具体的には、重いレンズを搭載する場合には板バネのバネ強度を高めるため、板バネの厚みを厚くする必要があり、軽いレンズを搭載する場合には板バネの厚みを薄くする必要がある。このような背景の下、一般には、板バネは、２０μｍ〜１００μｍ程度の薄い銅合金製高強度材を用いて、エッチングにより作製されている。
【０００６】
また一般に、板バネのうちスプリング部は、板バネに必要とされる特性を得るために、非常に細い線を幾重にも折り返したような形状を有している。しかしながら、上述したように、板バネの厚みは非常に薄い上に、スプリング部が細い線形状を有している。このため、板バネの製造時等に板バネに平面方向の応力が加わった際、スプリング部に変形が生じ、その歩留りが低下してしまうという問題がある。また、電子機器端末に組み込まれた後、落下等の衝撃により板バネに平面方向の応力が加わり、スプリング部に変形が生じてしまうおそれもある。
【０００７】
本発明はこのような点を考慮してなされたものであり、板バネに平面方向の応力が加わった際にスプリング部に変形（塑性変形）が生じる不具合を防止することが可能な、板バネ、カメラモジュールの駆動機構および電子機器端末を提供することを目的とする。
【課題を解決するための手段】
【０００８】
本発明は、カメラモジュールの駆動機構に用いられる板バネにおいて、外枠部と、外枠部の内側に配置された内枠部と、内枠部と外枠部との間に設けられ、外枠部と内枠部とを板バネの法線方向へ伸縮させるスプリング部とを備え、外枠部、内枠部及びスプリング部のうち少なくとも１つに、平面方向外方へ突出し、スプリング部の平面方向への変形を抑制する少なくとも１つの規制突起が設けられていることを特徴とする板バネである。
【０００９】
本発明は、規制突起は、板バネの変形時に、外枠部、内枠部、スプリング部及び他の突起のうちのいずれかに当接することを特徴とする板バネである。
【００１０】
本発明は、スプリング部の幅をｗとしたとき、スプリング部と外枠部又は内枠部との連結部と、板バネの変形時に規制突起が当接する部分との距離は、１．０ｗ〜３０ｗとなることを特徴とする板バネである。
【００１１】
本発明は、規制突起は、基端部と先端部とを有し、規制突起の長さは、規制突起の基端部と板バネの変形時に規制突起が当接する部分との間の距離の２０％〜８０％であることを特徴とする板バネである。
【００１２】
本発明は、筐体と、光学系を構成するレンズユニットと、筐体内に配置され、レンズユニットを収納してレンズユニットの光軸方向に移動可能なホルダと、ホルダに設けられたコイルと、筐体に設けられコイルに磁界を提供するヨーク及びマグネット片と、筐体とホルダとの間に介在された、板バネとを備え、板バネは、外枠部と、外枠部の内側に配置された内枠部と、内枠部と外枠部との間に設けられ、外枠部と内枠部とを板バネの法線方向へ伸縮させるスプリング部とを有し、板バネの外枠部、内枠部及びスプリング部のうち少なくとも１つに、平面方向外方へ突出し、スプリング部の平面方向への変形を抑制する少なくとも１つの規制突起が設けられていることを特徴とするカメラモジュールの駆動機構である。
【００１３】
本発明は、規制突起は、板バネの変形時に、外枠部、内枠部、スプリング部及び他の突起のうちのいずれかに当接することを特徴とするカメラモジュールの駆動機構である。
【００１４】
本発明は、スプリング部の幅をｗとしたとき、スプリング部と外枠部又は内枠部との連結部と、板バネの変形時に規制突起が当接する部分との距離は、１．０ｗ〜３０ｗとなることを特徴とするカメラモジュールの駆動機構である。
【００１５】
本発明は、規制突起は、基端部と先端部とを有し、規制突起の長さは、規制突起の基端部と板バネの変形時に規制突起が当接する部分との間の距離の２０％〜８０％であることを特徴とするカメラモジュールの駆動機構である。
【００１６】
本発明は、カメラモジュールの駆動機構を備えたことを特徴とする電子機器端末である。
【発明の効果】
【００１７】
本発明によれば、外枠部、内枠部及びスプリング部のうち少なくとも１つに、平面方向外方へ突出し、スプリング部の平面方向への変形を抑制する少なくとも１つの規制突起が設けられている。この規制突起は、板バネの変形（弾性変形）時に、外枠部、内枠部、スプリング部及び他の規制突起のうちのいずれかに当接して、スプリング部を保護する。このことにより、板バネに平面方向の応力が加わった際、スプリング部に変形（塑性変形）が生じる不具合を防止することができる。
【図面の簡単な説明】
【００１８】
【図１】図１は、カメラモジュールの駆動機構を示す分解斜視図。
【図２】図２は、カメラモジュールを示す概略側面図。
【図３】図３は、カメラモジュールの駆動機構に組込まれる上部板バネを示す平面図。
【図４】図４は、カメラモジュールの駆動機構に組込まれる下部板バネを示す平面図。
【図５】図５は、板バネの部分拡大平面図。
【図６】図６は、板バネの作用を示す部分拡大平面図。
【図７】図７は、板バネの変形例を示す部分拡大平面図。
【図８】図８は、板バネの変形例を示す部分拡大平面図。
【図９】図９は、板バネの変形例を示す部分拡大平面図。
【発明を実施するための形態】
【００１９】
以下、図面を参照して本発明の実施の形態について説明する。
【００２０】
（カメラモジュールの駆動機構の構成）
図１および図２に示すように、本発明によるカメラモジュールの駆動機構１は、カバー２とベース１３とからなる筐体２Ａと、光学系を構成する複数のレンズ２６からなるレンズユニット２６Ａと、筐体２Ａ内に配置されレンズユニット２６Ａを収納してレンズユニット２６Ａの光軸方向へ移動可能なホルダ９と、ホルダ９の外周に設けられたコイル８と、筐体２Ａのベース１３に設けられコイル８に磁界を提供するヨーク６及びマグネット片７とを備えている。
【００２１】
また筐体２Ａのカバー２と、ホルダ９の上部との間に上部板バネ５が介在され、筐体２Ａのベース１３とホルダ９の下部との間に下部板バネ１１が介在されている。
【００２２】
そして下部板バネ１１を介してコイル８に電流を流すことによりホルダ９に上方への力が作用し、レンズユニット２６Ａを上部板バネ５および下部板バネ１１の力に抗して全体として上方へ持上げることができる（図２参照）。
【００２３】
また、入力する電流量を調整することにより、ホルダ９を上方へ移動させる力を変化させ、上部板バネ５および下部板バネ１１の力とのバランスをとることで、ホルダ９の上下移動及びその位置調整を行うことができる。
【００２４】
なお、図２に示すように、筐体２Ａは、中間支持体２１を介して基体２０上方に固定され、中間支持体２１には赤外線カットガラス２２を保持するガラス板２４が支持され、基体２０上には撮像素子２５が配置されている。
【００２５】
このように筐体２Ａを有するカメラモジュールの駆動機構１と、赤外線カットガラス２２とガラス板２４とを支持する中間支持体２１と、撮像素子２５が配置された基体２０とによりカメラモジュール１Ａが構成されている。
【００２６】
なお、上記構成のうち、上部板バネ５は図３に示すように、筐体２Ａ側の外枠部５ａと、ホルダ９側の内枠部５ｂと、外枠部５ａと内枠部５ｂとの間に設けられたバネ性をもつスプリング部５ｃとを有している。また下部板バネ１１は図４に示すように、筐体２Ａ側の外枠部１１ａと、ホルダ９側の内枠部１１ｂと、外枠部１１ａと内枠部１１ｂとの間に設けられたバネ性をもつスプリング部１１ｃとを有している。
【００２７】
次にカメラモジュールの駆動機構１の各構成部分について、更に説明する。
【００２８】
上述のようにカバー２とベース１３とからなる筐体２Ａ内の空間には、レンズユニット２６Ａを保持しているホルダ９がレンズユニット２６Ａの光軸方向へ変位可能に収容されている。
【００２９】
ホルダ９の上下の各円筒縁部には、それぞれ上部板バネ５の内枠部５ｂと下部板バネ１１の内枠部１１ｂが取付けられており、上部板バネ５の外枠部５ａ（図３参照）は筐体２Ａのベース１３に固定されているヨーク６の上面に取付けられ、下部板バネ１１の外枠部１１ａ（図４参照）は筐体２Ａのベース１３に取付けられている。
【００３０】
上記ヨーク６には複数のマグネット片７が接着されており、カメラモジュールの駆動機構１の磁気回路を構成している。そしてこの磁気回路により形成された磁界内にコイル８が配置されている。このコイル８はホルダ９の外周に巻回されており、コイル８に電流を供給することによりホルダ９をレンズユニット２６Ａの光軸方向へ変位させることができる。なお、図２において、符号１２により示す部材は外部電源からコイル８へ電流を供給するための導体（フレキシブルプリント基板等）であり、符号４により示す部材は上部板バネ５の上面に装着される調整板である。
【００３１】
このようなカメラモジュール１Ａは、携帯電話、スマートフォン、タブレット端末、ノートＰＣなど、カメラ付き小型電子機器等の電子機器端末に組み込まれて用いられる。本実施の形態において、このような電子機器端末も提供する。
【００３２】
（板バネの構成）
次に図３乃至図５により、上部板バネ５および下部板バネ１１について更に述べる。
【００３３】
上部板バネ５および下部板バネ１１は、それぞれ銅合金等、金属製の板バネ材料を用いて作製されたものである。
【００３４】
上部板バネ５は図３に示すように四角形状の外枠部５ａと、ホルダ９側であって外枠部５ａの内側に配置されたリング状の内枠部５ｂと、外枠部５ａと内枠部５ｂとの間に設けられ、外枠部５ａと内枠部５ｂとを上部板バネ５の法線方向へ伸縮させるバネ性をもつスプリング部５ｃとを有している。
【００３５】
また外枠部５ａは内周縁５ｆを有しており、この内周縁５ｆの４隅近傍には、それぞれ外枠部５ａと各スプリング部５ｃとを連結する連結部５ｇが設けられている。さらに、外枠部５ａの４隅のうち３つに、それぞれ上部板バネ５を筐体２Ａのベース１３に固定されているヨーク６の上面に取付ける際の位置決め孔１７が設けられている。位置決め孔１７はヨーク６の上面側に設けられた位置決め突起（図示せず）に係合して、上部板バネ５をヨーク６の上面側に精度良く位置決めするものである。
【００３６】
さらに、外枠部５ａには、上部板バネ５を筐体２Ａに取付けるための接着部３０Ａが設けられている。この接着部３０Ａは外枠部５ａの４隅であって外枠部５ａと各スプリング部５ｃとの連結部５ｇ近傍に設けられている。また、接着部３０Ａは、外枠部５ａの周方向に所定間隔をおいて複数（４個）設けられている。
【００３７】
一方、内枠部５ｂは、円形状の外周縁５ｈを有している。この外周縁５ｈの４隅近傍には、それぞれ内枠部５ｂと各スプリング部５ｃとを連結する連結部５ｉが設けられている。さらに、内枠部５ｂには、上部板バネ５をホルダ９に取付けるための接着部３０Ｂが設けられている。この接着部３０Ｂは内枠部５ｂの４隅であって内枠部５ｂと各スプリング部５ｃとの連結部５ｉ近傍に設けられている。また、接着部３０Ｂは、内枠部５ｂの周方向に所定間隔をおいて複数（４個）設けられている。
【００３８】
図５に示すように、各スプリング部５ｃは、それぞれ細い線を幾重にも折り返したような蛇行形状を有している。またスプリング部５ｃは、複数の直線部５ｊと、各直線部５ｊ同士を連結する湾曲部５ｋとを含んでいる。なお、スプリング部５ｃの幅ｗは、例えば３０μｍ〜１００μｍとすることができる。
【００３９】
本実施の形態において、各スプリング部５ｃの一の直線部５ｊには、平面方向外方（外枠部５ａ側）へ突出する規制突起１５が設けられている。この規制突起１５は、上部板バネ５の変形時に、外枠部５ａの内周縁５ｆ（当接部５ｍ）に当接することにより、スプリング部５ｃの平面方向への変形を抑制し、スプリング部５ｃを保護するものである。規制突起１５の平面形状は、矩形状、多角形状、半円状、半楕円状など、特に限定されるものではない。
【００４０】
規制突起１５が設けられる場所は、特に限定されるものではないが、図５に示すように、スプリング部５ｃのうち、スプリング部５ｃと外枠部５ａとの距離Ｌ３が短い箇所に設けられることが好ましく、この場合、スプリング部５ｃのうち上部板バネ５の変形時に応力が集中しやすい領域である、連結部５ｇの近傍領域を保護することができる。なお、「規制突起１５がスプリング部５ｃと外枠部５ａとの距離Ｌ３が短い箇所に設けられる」とは、当接部５ｍが連結部５ｇから例えば１．０ｗ〜３０ｗの距離となる場合をいう（ｗはスプリング部５ｃの幅である）。なお、規制突起１５は、スプリング部５ｃのうち、スプリング部５ｃと内枠部５ｂとの距離が短い箇所に設けられても良い。
【００４１】
また、規制突起１５は、基端部１５ａと先端部１５ｂとを有している。このうち基端部１５ａはスプリング部５ｃに連結され、先端部１５ｂは外枠部５ａから離間している。
【００４２】
また、規制突起１５の長さ（すなわち基端部１５ａと先端部１５ｂとの間の距離）Ｌ１は、規制突起１５の基端部１５ａと上部板バネ５の変形時に規制突起１５が当接する当接部５ｍとの間の距離Ｌ２の２０％〜８０％とすることが好ましい。規制突起１５の長さＬ１をこの範囲とすることにより、上部板バネ５の変形時に、規制突起１５を外枠部５ａに確実に当接させることができ、スプリング部５ｃを効果的に保護することができる。
【００４３】
次に下部板バネ１１について、図４および図５により説明する。なお、図４に示す下部板バネ１１において、図３に示す上部板バネ５の構成と同一部分には同一符号を付して一部詳細な説明を省略する。
【００４４】
下部板バネ１１は、図４に示すように四角形状の外枠部１１ａと、ホルダ９側であって外枠部１１ａの内側に配置されたリング状内枠部１１ｂと、外枠部１１ａと内枠部１１ｂとの間に設けられ、外枠部１１ａと内枠部１１ｂとを下部板バネ１１の法線方向へ伸縮させるバネ性をもつスプリング部１１ｃとを有している。
【００４５】
このうち外枠部１１ａは内周縁１１ｆを有しており、この内周縁１１ｆの４隅近傍には、それぞれ外枠部１１ａと各スプリング部１１ｃとを連結する連結部１１ｇが設けられている。さらに、外枠部１１ａには、下部板バネ１１を筐体２Ａのベース１３に取付けるための接着部３０Ａが設けられている。
【００４６】
一方、内枠部１１ｂは、円形状の外周縁１１ｈを有している。この外周縁１１ｈの４隅近傍には、それぞれ内枠部１１ｂと各スプリング部１１ｃとを連結する連結部１１ｉが設けられている。さらに、内枠部１１ｂには、下部板バネ１１をホルダ９に取付けるための接着部３０Ｂが設けられている。
【００４７】
各スプリング部１１ｃは、それぞれ細い線を幾重にも折り返したような蛇行形状を有している。また、スプリング部１１ｃは、図５に示すように、複数の直線部１１ｊと、各直線部１１ｊ同士を連結する湾曲部１１ｋとを含んでいる。なお、スプリング部１１ｃの形状は、スプリング部５ｃの形状と同一である。
【００４８】
各スプリング部１１ｃの直線部１１ｊには、直線部１１ｊから平面方向外方（外枠部１１ａ側）へ突出する規制突起１５が設けられている。この規制突起１５は、下部板バネ１１の変形時に、外枠部１１ａの内周縁１１ｆ（当接部１１ｍ）に当接することにより、スプリング部１１ｃの平面方向への変形を抑制し、スプリング部１１ｃを保護するものである。なお、下部板バネ１１の規制突起１５の構成は、上述した上部板バネ５の規制突起１５の構成と略同一であるので、ここでは詳細な説明を省略する。
【００４９】
また、下部板バネ１１の外枠部１１ａには外部電源に接続される一対の接続端子１１ｅ、１１ｅが設けられている。この接続端子１１ｅ、１１ｅと外部のフレキシブルプリント基板１２（図２）とが例えば半田接合されることにより、接続端子１１ｅ、１１ｅと外部電源とが電気接続されるようになっている。
【００５０】
さらに内枠部１１ｂにはコイル８側に接続される一対の電気接続用の接続端子１１ｄ、１１ｄが設けられている。この接続端子１１ｄ、１１ｄとコイル８（図２）とが例えば半田接合されることにより、接続端子１１ｄ、１１ｄとコイル８とが電気接続されるようになっている。このようにして、外部電源から下部板バネ１１を介してコイル８側へ電流を流すことができる。
【００５１】
また、図４に示すように、外枠部１１ａは、互いに離間した一対の外枠部材１１ａ１、１１ａ２からなっており、これにより接続端子１１ｅ、１１ｅ同士が短絡しないようになっている。また、内枠部１１ｂは、互いに離間した一対の内枠部材１１ｂ１、１１ｂ２からなっており、これにより接続端子１１ｄ、１１ｄ同士が短絡しないようになっている。
【００５２】
なお、図３および図４において、４つのスプリング部５ｃ、１１ｃおよび４つの規制突起１５は、図３および図４の上下又は左右に延びる板バネ５、１１の中心軸線に対して線対称となる形状を有している。しかしながら、これに限らず、４つのスプリング部５ｃ、１１ｃおよび４つの規制突起１５は、９０°の回転対称性をもつ形状を有していても良い。
【００５３】
次に上部板バネ５および下部板バネ１１の材料について述べる。上部板バネ５および下部板バネ１１は、いずれも銅合金等の金属からなる金属板をエッチング加工して作製される。このような銅合金としては、例えばベリリウム銅（Ｃｕ−Ｂｅ）、ニッケル錫銅（Ｃｕ−Ｎｉ−Ｓｎ）、チタニウム銅（Ｃｕ−Ｔｉ）などを挙げることができる。コイル８へ外部電源からの電流を流す導体の一部として使用する場合は、導電率のよい材料が好ましい。また、バネ特性の観点からは、硬度もしくは引張強度が重視されることもあり、コイル８へ外部電源からの電流を流す導体の一部として使用しない場合は、ステンレス合金（ＳＵＳ３０４、ＳＵＳ３１６、ＴＳ−４など）などの硬い金属板から上部板バネ５および下部板バネ１１を作製してもよい。なお、上部板バネ５および下部板バネ１１の厚みは、例えば２０μｍ〜１００μｍとすることができる。
【００５４】
（本実施の形態の作用）
次に、このような構成からなる本実施の形態の作用について述べる。具体的には、板バネ５、１１に対して平面方向に変形が生じる場合の作用について説明する。
【００５５】
板バネ５、１１に対して平面方向に変形が生じる場合としては、例えばレンズユニット２６Ａを筐体２Ａ内に取り付ける際、レンズユニット２６Ａを、上方から見て所定の方向に回転させながら筐体２Ａ内に挿入する場合が考えられる。このとき、レンズユニット２６Ａが所定の方向に回転することに伴い、板バネ５、１１の内枠部５ｂ、１１ｂも所定の方向に回転し、これによりスプリング部５ｃ、１１ｃが捻られる。
【００５６】
このほか、板バネ５、１１に対して平面方向に変形が生じる場合としては、板バネ５、１１を図示しない電子機器端末に組み込んだ後、電子機器端末に対して落下等の衝撃が加わる場合等も考えられる。
【００５７】
これに対して本実施の形態においては、各スプリング部５ｃ、１１ｃの直線部５ｊ、１１ｊには、平面方向外方（外枠部５ａ、１１ａ側）へ突出する規制突起１５が設けられている。このため、スプリング部５ｃ、１１ｃが変形（弾性変形）した際、規制突起１５が外枠部５ａ、１１ａの内周縁５ｆ、１１ｆ（当接部５ｍ、１１ｍ）に当接する（図６の二点鎖線参照）。これにより、スプリング部５ｃ、１１ｃの変形による応力が一箇所（例えば連結部５ｇ、１１ｇ近傍）に集中することがなく、応力を分散させることができ、スプリング部５ｃ、１１ｃが保護される。この結果、スプリング部５ｃ、１１ｃに変形（塑性変形）が生じる不具合を防止することができ、板バネ５、１１の歩留まりが低下することを防止することができる。また、板バネ５、１１を電子機器端末に組み込んだ後、オートフォーカス動作時にカメラモジュール１Ａのレンズ２６の駆動精度が劣化することを防止することができるので、電子機器端末の衝撃耐性を向上させることができる。
【００５８】
（カメラモジュールの駆動機構の作用）
次にカメラモジュールの駆動機構の作用について図２により述べる。
【００５９】
まず下部板バネ１１を介してコイル８に電流を流す。このことにより電流とマグネット片７の磁界とで相互作用が起こり、ホルダ９に上方への力が作用し、レンズユニット２６Ａを上部板バネ５および下部板バネ１１の力に抗して全体として上方へ持上げることができる（図２参照）。
【００６０】
また、コイル８に流す電流量を調整することにより、ホルダ９を上方へ移動させる力を変化させ、上部板バネ５および下部板バネ１１の力とのバランスをとることで、ホルダ９の上下移動及びその位置調整を行うことができる。
【００６１】
この場合、上部板バネ５および下部板バネ１１の外枠部５ａ、１１ａのうちスプリング部５ｃ、１１ｃとの連結部５ｇ、１１ｇ近傍に接着部３０Ａを設け、内枠部５ｂ、１１ｂのうちスプリング部５ｃ、１１ｃとの連結部５ｉ、１１ｉ近傍に接着部３０Ｂを設けている。
【００６２】
このように上部板バネ５および下部板バネ１１のスプリング部５ｃ、１１ｃの両端部を筐体２Ａのベース１３に固定されるヨーク６、ベース１３およびホルダ９の各々に堅固に固定することにより、スプリング部５ｃ、１１ｃのバネ定数を安定化させることができる。
【００６３】
このことにより安定したバネ特性をもつカメラモジュールの駆動機構を得ることができる。
【００６４】
（変形例）
図１乃至図６に示す実施の形態においては、本発明の要旨の範囲内で種々の変形が可能である。
【００６５】
すなわち上述した実施の形態においては、規制突起１５は、各スプリング部５ｃ、１１ｃのうち連結部５ｉ、１１ｉ近傍の１箇所に設けられている。この１箇所の規制突起１５は、板バネ５、１１が変形した時に、外枠部５ａ、１１ａの内周縁５ｆ、１１ｆに当接するようになっている。
【００６６】
しかしながら、これに限られるものではなく、少なくとも１つの規制突起１５が、外枠部５ａ、１１ａ、内枠部５ｂ、１１ｂ及びスプリング部５ｃ、１１ｃのうち少なくとも１つに設けられ、この少なくとも１つの規制突起１５が、板バネ５、１１の変形時に、外枠部５ａ、１１ａ、内枠部５ｂ、１１ｂ、スプリング部５ｃ、１１ｃ及び他の規制突起１５のうちのいずれかに当接して、スプリング部５ｃ、１１ｃを保護するようになっていれば良い。
【００６７】
例えば、以下に説明するように、図７乃至図９に示す構成とすることも可能である。なお、図７乃至図９において、図１乃至図６に示す構成と同一部分には同一符号を付して詳細な説明を省略する。
【００６８】
図７において、スプリング部５ｃ、１１ｃおよび内枠部５ｂ、１１ｂに、複数の規制突起１５（１５Ａ〜１５Ｃ）が設けられている。この場合、スプリング部５ｃ、１１ｃには、平面方向外方（外枠部５ａ、１１ａ側）へ突出する複数の規制突起１５Ａ、１５Ｂが設けられている。また、内枠部５ｂ、１１ｂの外周縁５ｈ、１１ｈには、平面方向外方へ突出する規制突起１５Ｃが設けられている。このうちスプリング部５ｃ、１１ｃの規制突起１５Ａは、板バネ５、１１の変形時に、外枠部５ａ、１１ａの内周縁５ｆ、１１ｆに当接する（図５に示す規制突起１５と略同様）。一方、スプリング部５ｃ、１１ｃの各規制突起１５Ｂは、板バネ５、１１の変形時に、それぞれスプリング部５ｃ、１１ｃの直線部５ｊ、１１ｊに当接する。また、内枠部５ｂ、１１ｂの規制突起１５Ｃは、板バネ５、１１の変形時に、スプリング部５ｃ、１１ｃの直線部５ｊ、１１ｊに当接する。
【００６９】
図８において、スプリング部５ｃ、１１ｃおよび外枠部５ａ、１１ａに、複数の規制突起１５（１５Ｄ〜１５Ｆ）が設けられている。この場合、スプリング部５ｃ、１１ｃには、平面方向外方（内枠部５ｂ、１１ｂ側）へ突出する複数の規制突起１５Ｄ、１５Ｅが設けられている。また、外枠部５ａ、１１ａの内周縁５ｆ、１１ｆには、平面方向外方へ突出する規制突起１５Ｆが設けられている。このうちスプリング部５ｃ、１１ｃの規制突起１５Ｄは、板バネ５、１１の変形時に、内枠部５ｂ、１１ｂの外周縁５ｈ、１１ｈに当接する。一方、スプリング部５ｃ、１１ｃの各規制突起１５Ｅは、板バネ５、１１の変形時に、それぞれスプリング部５ｃ、１１ｃの直線部５ｊ、１１ｊに当接する。また外枠部５ａ、１１ａの規制突起１５Ｆは、板バネ５、１１の変形時に、スプリング部５ｃ、１１ｃの直線部５ｊ、１１ｊに当接する。
【００７０】
図９において、スプリング部５ｃ、１１ｃ、外枠部５ａ、１１ａ、および内枠部５ｂ、１１ｂに、複数の規制突起１５（１５Ｇ〜１５Ｋ）が設けられている。この場合、スプリング部５ｃ、１１ｃには、平面方向外方へ突出する複数の規制突起１５Ｇ、１５Ｈ、１５Ｉが設けられている。さらに、外枠部５ａ、１１ａの内周縁５ｆ、１１ｆには、規制突起１５Ｊが設けられ、内枠部５ｂ、１１ｂの外周縁５ｈ、１１ｈには、規制突起１５Ｋが設けられている。このうちスプリング部５ｃ、１１ｃの規制突起１５Ｇは、外枠部５ａ、１１ａの規制突起１５Ｊに対向しており、板バネ５、１１の変形時にこの規制突起１５Ｊに当接するようになっている。また、スプリング部５ｃ、１１ｃの各規制突起１５Ｈは、スプリング部５ｃ、１１ｃの他の規制突起１５Ｈに対向しており、板バネ５、１１の変形時にそれぞれ当該他の規制突起１５Ｈに当接するようになっている。さらに、スプリング部５ｃ、１１ｃの規制突起１５Ｉは、内枠部５ｂ、１１ｂの規制突起１５Ｋに対向しており、板バネ５、１１の変形時にこの規制突起１５Ｋに当接するようになっている。
【００７１】
図７乃至図９に示すように、複数の規制突起１５を、外枠部５ａ、１１ａ、内枠部５ｂ、１１ｂ及びスプリング部５ｃ、１１ｃの１つまたは複数に設けることにより、板バネ５、１１が平面方向に変形した際、スプリング部５ｃ、１１ｃをより確実に保護することができる。また、この場合、板バネ５、１１が様々な方向に変形した場合でも、スプリング部５ｃ、１１ｃの変形による応力を分散させることができる。
【符号の説明】
【００７２】
１        カメラモジュールの駆動機構
１Ａ      カメラモジュール
２        カバー
２Ａ      筐体
４        調整板
５        上部板バネ
５ａ      外枠部
５ｂ      内枠部
５ｃ      スプリング部
５ｆ      内周縁
５ｇ      連結部
５ｈ      外周縁
５ｉ      連結部
５ｊ      直線部
５ｋ      湾曲部
５ｍ      当接部
６        ヨーク
７        マグネット片
８        コイル
９        ホルダ
１１      下部板バネ
１１ａ    外枠部
１１ｂ    内枠部
１１ｃ    スプリング部
１１ｆ    内周縁
１１ｇ    連結部
１１ｈ    外周縁
１１ｉ    連結部
１１ｊ    直線部
１１ｋ    湾曲部
１１ｍ    当接部
１２      導体
１３      ベース
１５、１５Ａ〜１５Ｋ  規制突起
１７      位置決め孔
２０      基体
２１      中間支持体
２２      赤外線カットガラス
２４      ガラス板
２５      撮像素子
２６      レンズ
２６Ａ    レンズユニット
３０Ａ、３０Ｂ  接着部
【図１】
2014062964.tif 000003
【図２】
2014062964.tif 000004
【図３】
2014062964.tif 000005
【図４】
2014062964.tif 000006
【図５】
2014062964.tif 000007
【図６】
2014062964.tif 000008
【図７】
2014062964.tif 000009
【図８】
2014062964.tif 000010
【図９】
2014062964.tif 000011